(57)【要約】【課題】  バルコニーやベランダ等に設置した後に、手摺の横桟や縦桟の荷重、作業者や居住者の接触などによる荷重がかかり、支持部材と固定部材の連結部に非常に強い力がかかっても、その連結部が破損することなく、手摺がぐらついてしまうことのない手摺用支柱の取付具を提供する。【解決手段】  手摺１の支柱２に固定される中空柱３と、この中空柱３の対向壁面３ａの下部にそれぞれ形成された縦長スリット４の端縁４ａにそれぞれ、外周面が接触するようにし、その接触部を溶接により固着した固定棒５から構成されるものとしている。【選択図】    図４
2006336223.tif 000002
【特許請求の範囲】
【請求項１】
手摺（１）の支柱（２）に固定される中空柱（３）と、この中空柱（３）の対向壁面（３ａ）の下部にそれぞれ形成された縦長スリット（４）の端縁（４ａ）にそれぞれ、外周面が接触するようにし、その接触部を溶接により固着した固定棒（５）から構成されることを特徴とする手摺用支柱の取付具。
【請求項２】
前記固定棒（４）の下部に水平方向の環状溝（５ａ）を形成したことを特徴とする請求項１記載の手摺用支柱の取付具。
【請求項３】
前記固定棒（４）にネジ溝を形成したことを特徴とする請求項１記載の手摺用支柱の取付具。
【発明の詳細な説明】
【技術分野】
【０００１】
この発明は、コンクリート建造物のバルコニーやベランダ等に設置する手摺用支柱の取付具に関するものである。
【背景技術】
【０００２】
従来、この種の手摺用支柱の取付方法として、例えば図８に示したように、(1) 手摺１１の支柱１２の下面に、外周面を凹凸状に形成した固定ボルト１３を突設し、(2) コンクリート手摺壁１４の上面の所定箇所にドリルでドリル穴１５を穿ち、(3) そのドリル穴１５内にエポキシ樹脂等の接着剤１６を注入して該ドリル穴１５内に支柱１２の固定ボルト１３を差込み、(4) その接着剤１６をドリル穴１５内よりコンクリート手摺壁１４の上面と支柱１２の下面の間にわたって充満させ固定して、コンクリート手摺壁１４に支柱１２を取付けるようにした方法が存在する（特許文献１）。
【０００３】
このような従来の手摺用支柱の取付方法では、コンクリート建造物の手摺用支柱の取付作業の職種を合理化してその作業を行う技能者を減少し、一体化した手摺用支柱の取付けを一括で施工して完了し、作業能率を向上して工期が短縮しコストを安くできて実用上有益であるという効果を有している。
【特許文献１】特開平７−３３１８３０公報（第２、３頁、図２、４）
【発明の開示】
【発明が解決しようとする課題】
【０００４】
ところで、従来の手摺用支柱の取付方法に用いる固定ボルト１３は、図９に示したように、支柱台１７の下面中央部に只単にねじ込むなどして突設している。そして、この支柱台１７の上面中央部に突設した嵌着枠１８を、支柱１２の内面の両側前後部に形成した突条１９、１９間に圧入嵌着して、支柱台１７を支柱１２に当て、ビス２０でこれらを一体に固定して固定ボルト１３付き手摺１１を構成している。
【０００５】
しかしながら、前記手摺用支柱は、バルコニーやベランダ等に設置した後には、手摺の横桟や縦桟の荷重、作業者や居住者の接触などによる荷重がかかると、支柱台１７と固定ボルト１３の連結部に非常に強い力がかかるため、従来のように支柱台１７の下面中央部に只単に固定ボルト１３をねじ込むなどして突設しているだけでは強度性に劣り、支柱台１７と固定ボルト１３との連結は非常に堅固しておかないと、その強い力に耐えることができず、支柱台１７と固定ボルト１３の連結部が破損し、手摺１１がぐらついてしまうという課題を有していた。
【０００６】
そこで、この発明は、上記従来の問題点を解消するものであり、前記支持台１７のような支持部材と、固定ボルト１３のような固定部材の連結を非常に堅固なものとし、バルコニーやベランダ等に設置した後に、手摺の横桟や縦桟の荷重、作業者や居住者の接触などによる荷重がかかり、支持部材と固定部材の連結部に非常に強い力がかかっても、その連結部が破損することなく、手摺がぐらついてしまうことのない手摺用支柱の取付具を提供することを目的としてなされたものである。
【課題を解決するための手段】
【０００７】
そのため、この発明の手摺用支柱の取付具は、手摺１の支柱２に固定される中空柱３と、この中空柱３の対向壁面３ａの下部にそれぞれ形成された縦長スリット４の端縁４ａにそれぞれ、外周面が接触するようにし、その接触部を溶接により固着した固定棒５から構成されるものとしている。
【０００８】
そして、この発明の手摺用支柱の取付具では、前記固定棒４の下部に水平方向の環状溝５ａを形成したものとしている。
【０００９】
さらに、この発明の手摺用支柱の取付具では、前記固定棒４にネジ溝を形成したものとしている。
【発明の効果】
【００１０】
この発明の手摺用支柱の取付具は、以上に述べたように構成されているので、支持部材である中空柱３と固定部材である固定棒５の連結が非常に堅固なものとなり、バルコニーやベランダ等に設置した後に、手摺の横桟や縦桟の荷重、作業者や居住者の接触などによる荷重がかかり、中空柱３と固定棒５の連結部に非常に強い力がかかっても、その連結部が破損することなく、手摺がぐらついてしまうことのないものとなる。
【発明を実施するための最良の形態】
【００１１】
以下、この発明の手摺用支柱の取付具を実施するための最良の形態を、図面に基づいて詳細に説明する。
【００１２】
この発明の手摺用支柱の取付具は、図１〜７に示したように、手摺１の支柱２に挿入しネジ止めして固定される中空柱３と、この中空柱３の対向壁面３ａの下部にそれぞれ形成された縦長スリット４の端縁４ａにそれぞれ、略上半部の外周面が接触するようにし、その接触部を溶接により固着した固定棒５から構成されるものとしている。
【００１３】
手摺１は、バルコニーやベランダ等のコンクリ−ト製の手摺壁面などの設置面Ｆに適宜間隔をおいて立設するようにした前記支柱２と、これら各支柱２間の上下に架設した横桟６、６と、これら横桟６、６間に適宜間隔をおいて多数、配設した縦桟７から構成されている。なお、前記横桟６および縦桟７は、軽量化のためにアルミニウム材からなるものとしている。
【００１４】
支柱２は、図示したものでは四角筒状とした角管材からなるものとしており、鋼鉄などの強度性に優れた金属材からなるものとしたり、軽量化のため前記横桟６および縦桟７と同様にアルミニウム材からなるものとしている。また、前記支柱２の内面の前後両側部および両側前後部には、支柱２内で中空柱３の位置決めをするためのリブ２ａを設けたものとしている。
【００１５】
中空柱３は、鋼鉄などの強度性に優れた金属材からなるものとし、図示したものでは四角筒状に形成しており、前記支柱２内に挿入したときに、支柱２内面に設けたリブ２ａに接触するようにして、その支柱２内で位置決めされるようにしている。なお、前記中空柱３は、上部および下部の適宜箇所にネジ孔３ｂまたはリベット孔３ｃを設け、これらネジ孔３ｂまたはリベット孔３ｃに支柱２の抜孔（図示せず）からネジＳをねじ込んだり、リベットＲを打ちつけたりして、支柱２にネジ止めまたはリベット止めするようにしているが、他の方法によって支柱２に固定してもよい。さらに、中空柱３は、前記したように対向壁面３ａの下部に縦長スリット４をそれぞれ形成したものとしている。そして、この縦長スリット４の端縁４ａにそれぞれ、固定棒５の略上半部の外周面が接触するようにし、その接触部を溶接により固着したものとしている。このようにすると、前記固定棒５の略上半部の外周面の四箇所が、中空柱３の縦長スリット４の端縁４ａに固着したものとなるので、中空柱３と固定棒５の連結は非常に堅固なものとなる。
【００１６】
固定棒５は、図示したものでは丸鋼材からなるものとしているが、角鋼材とすることもできる。この固定棒５の下部には、水平方向の環状溝５ａを形成したものとしており、後に述べるように、固定棒５の略下半部を設置面Ｆに穿設した穴Ｈに挿入して、接着剤Ａによって接着固定するときの接着面積を広くして、接着強度を高くしている。なお、前記環状溝５ａは、図示したように一本に限られることなく、複数本形成してもよい。また、前記固定棒５には、ネジ溝（図示せず）を形成することにより、接着剤Ａとの接着面積を広くして、接着強度を高くすることもできる。この場合、前記中空柱３の縦長スリット４の端縁４ａに溶接される固定棒５の略上半部には、溶接の作業性などを考慮すると、ネジ溝を形成しない方が好ましい。なお、固定棒５は、略上半部の外周面を中空柱３の縦長スリット４の端縁４ａに溶接し、略下半部を設置面Ｆに穿設した穴Ｈに挿入するようにしているので、上下のバランスがとれて好ましいものなっているが、これら溶接および挿入の程度は任意に調整することができるのは言うまでもない。
【００１７】
以上のように構成したこの発明の手摺用支柱の取付具を、コンクリート製の手摺壁面などの設置面Ｆに設置するには、次のようにして行う。
【００１８】
先ず、手摺１の各支柱２の下方に位置する設置面Ｆの所定箇所にドリルで穴Ｈを穿設する。次に、その設置面Ｆに穿設した穴Ｈにエポキシ樹脂等の接着剤Ａを注入すると共に、固定棒５の略下半部を挿入する。そして、前記接着剤Ａが硬化するまで、手摺１の各支柱２を仮固定しておく。接着剤Ａが硬化すると、手摺１の各支柱２は、穴Ｈに固定され、コンクリート製の手摺壁面などの設置面Ｆに設置されることになる。
【００１９】
したがって、この発明の手摺用支柱の取付具は、支持部材である中空柱３と固定部材である固定棒５の連結が非常に堅固なものとなり、前記設置面Ｆに設置した後に、手摺１の横桟６や縦桟７の荷重、作業者や居住者の接触などによる荷重がかかり、中空柱３と固定棒５の連結部に非常に強い力がかかっても、その連結部が破損することなく、手摺がぐらついてしまうことがないものとなる。
【図面の簡単な説明】
【００２０】
【図１】この発明の手摺用支柱の取付具を用いて設置面に設置した手摺の正面図である。
【図２】図１中のＡ−Ａ線による断面図である。
【図３】図１中のＢ−Ｂ線による断面図である。
【図４】この発明の手摺用支柱の取付具を用いて支柱を設置面に設置した状態を示す要部断面図である。
【図５】この発明の手摺用支柱の取付具の斜視図である。
【図６】この発明の手摺用支柱の取付具の分解斜視図である。
【図７】図５中のＣ−Ｃ線による断面図である。
【図８】従来の手摺用支柱の取付方法により設置した状態を示す支柱の要部断面図である。
【図９】従来の手摺用支柱の取付方法に用いる取付具の分解斜視図である。
【符号の説明】
【００２１】
１  手摺
２  支柱
３  中空柱
３ａ  壁面
４  縦長スリット
４ａ  端縁
５  固定棒
５ａ  環状溝
【図１】
2006336223.tif 000003
【図２】
2006336223.tif 000004
【図３】
2006336223.tif 000005
【図４】
2006336223.tif 000006
【図５】
2006336223.tif 000007
【図６】
2006336223.tif 000008
【図７】
2006336223.tif 000009
【図８】
2006336223.tif 000010
【図９】
2006336223.tif 000011